(57)【特許請求の範囲】
【請求項１】
上部蓋と、
下部蓋と、
前記上部蓋と前記下部蓋との間に介装されたシールリングと、
前記上部蓋の貫通孔上方に配置され、前記上部蓋の径方向に沿ってスライド自在に設けられた複数のスペーサと、
該スペーサを径方向内方へ付勢する圧縮ばねと、
前記スペーサに取付けられ、前記上部蓋の径方向に沿って変位可能に設けられた複数の調整ナットと、
前記上部蓋に取付けられ、水圧によって昇降可能に嵌挿されたピストンを備えた水圧シリンダと、
前記上部蓋に取付けられ、前記水圧シリンダにホースを介して接続された水圧マニホールドと、
前記水圧マニホールドに取付けられた水圧接続孔と、
前記水圧シリンダのピストンに固定された中空軸と、
該中空軸に昇降可能に嵌挿され、頭部が前記上部蓋の上方に配置されるとともに、下端部が前記下部蓋の下方に配置された締付ボルトと、
該締付ボルトの下端部に螺合され前記下部蓋下面に固定されたナットと、
前記上部蓋に取付けられた受台と、
前記上部蓋に取付けられた把手と、
上部蓋及び下部蓋に取付けられたローラと、を具え、
前記スペーサは、上部蓋の径方向内側に配置されている場合に、前記締付ボルトの頭部の前記上部蓋の上面への出没を許容するとともに、前記ボルトの頭部がスペーサ上面の上方にある状態で、径方向外側にスライドして配置させた場合に、前記締付ボルトの頭部がスペーサ上面より下降するのを規制することを特徴とする大型配管閉止プラグ用遠隔固定機構。
【発明の詳細な説明】
【０００１】
【発明の属する技術分野】
本発明は、大型配管閉止プラグ用遠隔固定機構に関するものである。
【０００２】
【従来の技術】
大型配管閉止プラグは、既設配管に新しい機器または新し配管を取付ける際、配管内に異物の落下、侵入を防止するために使用される。
同大型配管閉止プラグの従来例を図４（ａ）〜（ｃ）により説明する。
図４（ａ）は縦断側面図、図４（ｂ）は平面図、図４（ｃ）はシール中のシール形状を示す縦断側面図である。
【０００３】
２６が大型配管閉止プラグ（以下、閉止プラグと称する）で、同閉止プラグ２６が上部蓋２７と下部蓋２８とを有し、これらの上部蓋２７及び下部蓋２８が搬出入を考慮して、２分割式になっている。また上部蓋２７及び下部蓋２８の円周方向複数箇所がシールリング４を挟んで締付ボルト２９により固定されている。上部蓋２７には、搬出入時に使用する受台１２が設けられ、上部蓋２７及び下部蓋２８には、分割組立用把手１３と、配管壁１６内への搬出入時に保護の役目をするローラ１４とが設けられている。
【０００４】
閉止プラグ２６を固定する場合には、作業員の手作業により上部蓋２７及び下部蓋２８の円周方向複数箇所に位置するボルト２９を締め付けて、上部蓋２７と下部蓋２８とを接近させ、図４（ｃ）に示すようにシールリング４を外側に膨らませて、このシールリング４を配管壁１６の内壁面に押し付ける。
【０００５】
【発明が解決しようとする課題】
前記図４（ａ）〜（ｃ）に示す従来の閉止プラグ２６では、作業員の手作業により上部蓋２７及び下部蓋２８の円周方向複数箇所に位置するボルト２９を締め付けるので、閉止プラグ２６の取付け、取り外しに時間がかかり、特に原子力プラントの蒸気発生器の交換工事では、工期の短縮、作業員の被曝低減に支障を来たしている。
【０００６】
本発明は前記の問題点に鑑み提案するものであり、その目的とする処は、工期を短縮できる上に、作業員の被曝を低減できる大型配管閉止プラグ用遠隔固定機構を提供しようとする点にある。
【０００７】
【課題を解決するための手段】
上記目的を達成するために、本発明の大型配管閉止プラグ用遠隔固定機構は、上部蓋と、下部蓋と、前記上部蓋と前記下部蓋との間に介装されたシールリングと、前記上部蓋の貫通孔上方に配置され、前記上部蓋の径方向に沿ってスライド自在に設けられた複数のスペーサと、該スペーサを径方向内方へ付勢する圧縮ばねと、前記スペーサに取付けられ、前記上部蓋の径方向に沿って変位可能に設けられた複数の調整ナットと、前記上部蓋に取付けられ、水圧によって昇降可能に嵌挿されたピストンを備えた水圧シリンダと、前記上部蓋に取付けられ、前記水圧シリンダにホースを介して接続された水圧マニホールドと、前記水圧マニホールドに取付けられた水圧接続孔と、前記水圧シリンダのピストンに固定された中空軸と、該中空軸に昇降可能に嵌挿され、頭部が前記上部蓋の上方に配置されるとともに、下端部が前記下部蓋の下方に配置された締付ボルトと、該締付ボルトの下端部に螺合され前記下部蓋下面に固定されたナットと、前記上部蓋に取付けられた受台と、前記上部蓋に取付けられた把手と、上部蓋及び下部蓋に取付けられたローラと、を具え、前記スペーサは、上部蓋の径方向内側に配置されている場合に、前記締付ボルトの頭部の前記上部蓋の上面への出没を許容するとともに、前記ボルトの頭部がスペーサ上面の上方にある状態で、径方向外側にスライドして配置させた場合に、前記締付ボルトの頭部がスペーサ上面より下降するのを規制することを特徴とする。
【０００８】
【発明の実施の形態】
次に本発明の大型配管閉止プラグ用遠隔固定機構を図１〜図３に示す一実施形態により説明する。
図１（ａ）は同大型配管閉止プラグ用遠隔固定機構の縦断側面図、図１（ｂ）は平面図、図２（ａ）は同遠隔固定機構で水圧シリンダを操作しない場合を示す縦断側面図、図２（ｂ）は同同遠隔固定機構で水圧シリンダを操作した場合を示す縦断側面図、図３（ａ）は同遠隔固定機構の調整ナットの縮小状態を示す横断平面図、図３（ｂ）は同調整ナットの伸長状態を示す横断平面図である。
【０００９】
図１（ａ）（ｂ）の１が閉止プラグで、同閉止プラグ１は、上部蓋２と、下部蓋３と、上部蓋２と下部蓋３との間に介装したシールリング（ゴム等の弾力性材よりなるシールリング）４と、頭部２２を有する締付ボルト５と、締付ボルト５の下端部に螺合したナット６と、上部蓋２に取付けた水圧シリンダ７と、上部蓋２の外周部の円周方向複数個所に半径方向内外方への移動を可能に取付けた複数のスペーサ８と、各スペーサ８に半径方向内外方への移動を可能に取付けた複数の調整ナット９と、上部蓋２に取付けた水圧マニホールド１０と、水圧マニホールド１０から水圧シリンダ７へ延びたホース１１と、上部蓋２に取付けた受台１２と、上部蓋２に取付けた把手１３と、上部蓋２及び下部蓋３に取付けたローラ１４と、水圧マニホールド１０への水圧接続孔１５と、水圧シリンダ７に昇降可能に嵌挿したピストン１７と、ピストン１７に固定した中空軸２３とを具えている。そして締付ボルト５は、中空軸２３に昇降可能に嵌挿されて、頭部２２が上部蓋２の上方に位置し、締付ボルト５の下端部が下部蓋３の貫通孔を下方に貫通して、そこにナット６が螺合している。
【００１０】
１６が配管壁、１８がスペーサ８を半径方向外方へ押すための治具である。
図３（ａ）（ｂ）の２０が各スペーサ８に設けた大円孔、２１が同大円孔２０に連通した小円孔、２４がスペーサ８を常時左方（半径方向内方）へ付勢するための圧縮ばねで、スペーサ８には、締付ボルト５の頭部２２及びピストン１７の中空軸２３の入る穴が設けられている。
【００１１】
次に前記図１〜図３に示す大型配管閉止プラグ用遠隔固定機構の作用を具体的に説明する。
ナット６を各締付ボルト５に螺合して、上部蓋２及び下部蓋３を接近させ、シールリング４を或る程度圧縮して、シールリング４を若干外側へ膨らませる。この状態では、シールリング４と配管壁１６との間に隙間がある。
【００１２】
このとき、水圧シリンダ７の部分は、図２（ａ）の状態にあり、水圧シリンダ７内に昇降可能に嵌挿したピストン１７の中空軸２３の上端部が締付ボルト５の頭部２２に接触している。
以上の状態から、水圧シリンダ７の圧力室（ピストン１７の下方に形成した圧力室）へ圧力水を供給して、ピストン１７と中空軸２３と締付ボルト５とを押し上げ、締付ボルト５の頭部２２をスペーサ８の上方に突出させて、上部蓋２と下部蓋３とを接近させ、シールリング４を圧縮して、シールリング４を外側へ膨らませて、配管壁１６へ密着させる（図２（ｂ）参照）。
【００１３】
次いで治具１８によりスペーサ８を半径方向外方へ移動させ、上部蓋２と締付ボルト５の頭部２２との間に押し込んで、ピストン１７の中空軸２３をスペーサ８の小円孔２１へ挿入する。
次いで水圧シリンダ７の圧力室（ピストン１７下方の圧力室）に作用させていた水圧を解除し、シールリング４の反力により締付ボルト５の頭部２２でスペーサ８を抑えて、スペーサ８を固定する。
【００１４】
このとき、スペーサ８に半径方向内外方への移動を可能に取付けた調整ナット９の位置を配管壁１６に密着させるように調整して、閉止プラグ１固定のバックアップ作用を行う。
図３（ａ）は、図２（ａ）に対応したスペーサ８位置を示し、図３（ｂ）は図２（ｂ）に対応したスペーサ８位置を示している。
【００１５】
スペーサ８は、大円孔２０と小円孔２１とを有し、図２（ａ）及び図３（ａ）位置では、締付ボルト５の頭部２２が大円孔２０に入っている。また図２（ｂ）及び図３（ｂ）位置では、中空軸２３が小円孔２１に入っている。
スペーサ８は、圧縮ばね２４により常時左方（半径方向内方）へ押圧されており、図２（ｂ）及び図３（ｂ）の状態でピストン１７が少し上方に移動すると、スペーサ８によるシールリング４の抑え力がなくなり、図２（ａ）及び図３（ａ）の状態に復帰して、締付ボルト５の頭部２２が大円孔２０に入る。従って閉止プラグ１は、シールリング４の反力により図２（ａ）及び図３（ａ）の状態に戻る（図１参照）。
【００１６】
調整ボルト９は、スペーサ８にねじにより取付けられており、配管壁１６との距離が調整可能である。
【００１７】
【発明の効果】
本発明の大型配管閉止プラグ用遠隔固定機構は前記のように水圧シリンダの圧力室に流体圧を作用し、ピストンと中空軸と締付ボルトとを押し上げて、締付ボルトの頭部をスペーサの上方に突出させ、上部蓋と下部蓋とを接近させて、シールリングを圧縮し、シールリングを外側へ膨らませて、配管壁へ密着させ、次いで治具によりスペーサを半径方向外方へ移動させて、上部蓋と締付ボルトの頭部との間に押込み、次いで上記流体圧を解除して、シールリングの反力によりスペーサを固定して、スペーサに締付ボルトを固定するためのストッパの役目をさせる。またこの状態から水圧シリンダの圧力室に流体圧を改めて作用し、締付ボルトを少し持ち上げ、締付ボルトを自由な状態にして、スペーサを圧縮ばねのばね力により中心側へ移動させ、次いで上記流体圧を解除し、シールリングの反力により締付ボルトを下降させて、閉止フラグを初期の自由な状態にするので、閉止プラグの取付け、取り外しを遠隔地点から迅速に行うことができて、特に原子力プラントの蒸気発生器の交換工事では、工期を短縮できる上に、作業員の被曝を低減できる。
【図面の簡単な説明】
【図１】（ａ）は本発明の大型配管閉止プラグ用遠隔固定機構の一実施形態を示す縦断側面図、（ｂ）は平面図である。
【図２】（ａ）は同遠隔固定機構で水圧シリンダを操作しない場合を示す縦断側面図、（ｂ）は水圧シリンダを操作した場合を示す縦断側面図である。
【図３】（ａ）は同遠隔固定機構の調整ナットの縮小状態を示す横断平面図、（ｂ）は同調整ナットの伸長状態を示す横断平面図である。
【図４】（ａ）は従来の大型配管閉止プラグを示す縦断側面図、（ｂ）は平面図、（ｃ）はシール中のシール形状を示す縦断側面図である。
【符号の説明】
１      閉止プラグ
２      上部蓋
３      下部蓋
４      シールリング
５      締付ボルト
６      ナット
７      水圧シリンダ
８      スペーサ
９      調整ナット
１０    水圧マニホールド
１１    ホース
１２    受台
１３    把手
１４    ローラ
１５    水圧接続孔
１７    ピストン
２３    中空軸
２４    圧縮ばね
【図１】
0003764530.tif 000002
【図２】
0003764530.tif 000003
【図３】
0003764530.tif 000004
【図４】
0003764530.tif 000005